(57)【要約】【課題】看護師の負担を軽減し、患者に服薬させる際の間違いを防止し、細かな処方の修正指示に対しても容易に対応可能とし、薬剤の無駄な廃棄を低減する。【解決手段】医師により作成された与薬患者に対する複数日分の処方データが入力されると（Ｓ１０１、Ｓ１０２：ＹＥＳ）、処方データの監査（Ｓ１０４、Ｓ２０１、Ｓ１０５）の後、処方データが１日分毎の各日処方データに展開され（Ｓ１０８）、処方データの修正指示に応じて各日処方データに対する修正が行われる（Ｓ２０２：ＹＥＳ、Ｓ２０３）。その後、全ての患者の処方データ及び各日処方データが取りまとめる締め処理が完了すると（Ｓ１０９、Ｓ２０４）、各日処方データの１日分の薬剤を分包することを指示する分包指示信号が錠剤分包機に出力されるとともに、１日分の処方データを印刷することを指示する印刷指示信号が印刷装置に出力される（Ｓ１１０）。【選択図】図３
2010005378.tif 000002
【特許請求の範囲】
【請求項１】
医師から処方された複数日分の薬剤の処方データを、１日分毎の処方データである各日処方データに展開するデータ展開手段と、
前記各日処方データにしたがって、１日分の薬剤を分包することを指示する分包指示信号を出力する分包指示信号出力手段とを備えていることを特徴とする与薬管理システム。
【請求項２】
前記データ展開手段が、前記各日処方データを、さらに服薬時期毎に展開し、
前記分包指示信号出力手段が、１日分の薬剤を服薬時期毎に分包することを指示する前記分包指示信号を出力することを特徴とする請求項１に記載の与薬管理システム。
【請求項３】
前記各日処方データの修正を行うデータ修正手段をさらに備えていることを特徴とする請求項１又は２に記載の与薬管理システム。
【請求項４】
前記データ修正手段が、前記各日処方データの修正として、服薬の中止及びその再開、並びに、薬剤の削除のいずれかを選択的に行うことを特徴とする請求項３に記載の与薬管理システム。
【請求項５】
同一の患者に対して複数の科から別々に薬剤の処方がされている場合に、各処方の前記処方データに対応する前記各日処方データから、これらの各日処方データが併合された併合処方データを生成する併合処方データ生成手段をさらに備えており、
分包指示信号出力手段が、前記併合処方データに対応する薬剤を分包することを指示する前記分包指示信号を出力することを特徴とする請求項１〜４のいずれかに記載の与薬管理システム。
【請求項６】
前記各日処方データの内容が記載された帳票の印刷を指示する印刷指示信号を出力する印刷指示信号出力手段をさらに備えていることを特徴とする請求項１〜５のいずれかに記載の与薬管理システム。
【請求項７】
前記印刷指示信号出力手段が、複数の病棟に対応して前記印刷指示信号を別々に出力することを特徴とする請求項６に記載の与薬管理システム。
【請求項８】
前記印刷指示信号出力手段が、服薬が中止された薬剤又は削除された薬剤がある場合に、当該薬剤の種類が、服薬が中止されたこと又は削除されたことを示す情報とともに記載された前記帳票を印刷することを指示する前記印刷指示信号を出力することを特徴とする請求項６又は７に記載の与薬管理システム。
【発明の詳細な説明】
【技術分野】
【０００１】
本発明は、医師から処方された薬剤の管理を行う与薬管理システムに関する。
【背景技術】
【０００２】
医師が、患者に対して薬剤を処方する際、一般に、例えば１週間分など複数日分の処方を行うが、従来は、通常の患者、与薬患者などの区別に関わらず、これら複数日分の薬剤をまとめて出していた。ここで、与薬患者とは、自身で服薬ができない患者、服薬上特に注意を要する薬剤を処方された患者、服薬時間や時間間隔の管理を行うことが困難な患者などを示している。
【発明の概要】
【発明が解決しようとする課題】
【０００３】
しかしながら、このような場合には、与薬患者に服薬させる際に、看護師などが複数日分の薬剤の中から各服薬分だけ取り出す必要があり、看護師などの負担が増加するとともに、取り出しの際のミスによって与薬患者に服薬させる際に間違いが生じてしまう虞がある。
【０００４】
また、患者の容態の変化などにあわせて医師が処方の修正指示を行ったときに、処方データに対応する複数日分の薬剤をまとめたものに薬剤を追加したり、複数日分の薬剤から不要な薬剤を回収したりする必要があるが、複数日のうち一定期間だけ薬剤を与えるのを中止しその後再開するなど、細かい修正指示に対応するためには作業が複雑になってしまう。
【０００５】
また、複数日の途中で病棟に搬送した薬剤を回収した場合には、薬剤の間違いを防止する観点から、回収した薬剤は再利用せずに廃棄されるが、複数日分の薬剤をまとめて病棟に搬送している場合には、廃棄する薬剤の量が多くなってしまう虞がある。
【０００６】
本発明の目的は、看護師の負担を低減するとともに、患者に服薬させる際に間違いが生じてしまうことを防止することができ、細かな処方の修正指示に対しても容易に対応することが可能であって、薬剤の無駄な廃棄を低減することが可能な与薬管理システムを提供することである。
【課題を解決するための手段】
【０００７】
第１の発明に係る与薬管理システムは、医師から処方された複数日分の薬剤の処方データを、１日分毎の処方データである各日処方データに展開するデータ展開手段と、前記各日処方データにしたがって、１日分の薬剤を分包することを指示する分包指示信号を出力する分包指示信号出力手段とを備えていることを特徴とするものである。
【０００８】
これによると、複数日分の処方データを１日分の処方データである各日処方データに展開し、１日分の薬剤のみを分包して病棟に搬送することができるため、看護師の負担を軽減することができるとともに、患者に服薬させる際に間違が生じてしまうのを防止することができる。
【０００９】
また、複数日分の処方データを１日分の各日処方データに展開し、１日分の薬剤のみを分包することができるので、複数日のうち一定期間のみ服薬を中止しその後再開するなど細かい処方の修正指示に対しても容易に対応することができる。
【００１０】
また、複数日分の処方データを１日分の各日処方データに展開し、１日分の薬剤のみを分包することができるので、複数日の途中で処方に修正指示があった場合にも、回収されて廃棄される薬剤の量が低減される。
【００１１】
第２の発明に係る与薬管理システムは、第１の発明に係る与薬管理システムにおいて、前記データ展開手段が、前記各日処方データを、さらに服薬時期毎に展開し、前記分包指示信号出力手段が、１日分の薬剤を服薬時期毎に分包することを指示する前記分包指示信号を出力することを特徴とするものである。
【００１２】
これによると、１日分の薬剤を服薬時期毎に分包して病棟に搬送することができるため、看護師の負担をさらに軽減することができるとともに、患者に服薬させる際に間違が生じてしまうのをさらに確実に防止することができる。
【００１３】
第３の発明に係る与薬管理システムは、第１又は第２の発明に係る与薬管理システムにおいて、前記各日処方データの修正を行うデータ修正手段とをさらに備えていることを特徴とするものである。
【００１４】
これによると、複数日分の処方データを１日分の各日処方データに展開し、１日分の薬剤のみを分包することができるため、例えば、医師から服薬の中止及び再開、薬剤の削除などの修正指示があったときに、以降の各日処方データを修正することにより、処方の修正指示以降、当該修正に対応した薬剤が分包されて病棟に搬送されるため、病棟に搬送した薬剤に対する追加、回収などを行う必要がなくなる。
【００１５】
第４の発明に係る与薬管理システムは、第３の発明に係る与薬管理システムにおいて、前記データ修正手段が、前記各日処方データの修正として、服薬の中止及びその再開、並びに、薬剤の削除のいずれかを選択的に行うことを特徴とするものである。
【００１６】
これによると、医師から服薬の中止及びその再開、並びに薬剤の削除の指示があったときに、以降の各日処方データを修正することにより、処方の修正指示以降、当該修正に対応した薬剤が分包されて病棟に搬送されるため、病棟に搬送した薬剤に対する追加、回収などを行う必要がなくなる。
【００１７】
第５の発明に係る与薬管理システムは、第１〜第４のいずれかの発明に係る与薬管理システムにおいて、同一の患者に対して複数の科から別々に薬剤の処方がされている場合に、各処方の前記処方データに対応する前記各日処方データから、これらの各日処方データが併合された併合処方データを生成する併合処方データ生成手段をさらに備えており、分包指示信号出力手段が、前記併合処方データに対応する薬剤を分包することを指示する前記分包指示信号を出力することを特徴とするものである。
【００１８】
これによると、同一患者に対して複数の科から処方されている場合、これら複数の処方の処方データに対応する各日処方データを併合して併合処方データとし、併合処方データに対応する薬剤を分包することを指示する分包指示信号を出力することにより、これら複数の処方に対応する薬剤を一緒に分包することができる。
【００１９】
第６の発明に係る与薬管理システムは、第１〜第５のいずれかの発明に係る与薬管理システムにおいて、前記各日処方データの内容が記載された帳票の印刷を指示する印刷指示信号を出力する印刷指示信号出力手段をさらに備えていることを特徴とするものである。
【００２０】
これによると、各日処方データの内容が記載された帳票を印刷することにより、分包された薬剤と帳票の内容とを確実に照合、確認することができ、患者に服薬させる際に間違いが生じてしまうことが防止される。
【００２１】
第７の発明に係る与薬管理システムは、第６の発明に係る与薬管理システムにおいて、前記印刷指示信号出力手段が、複数の病棟に対応して前記印刷指示信号を別々に出力することを特徴とするものである。
【００２２】
これによると、病棟毎に帳票が印刷されるため、各病棟において帳票を容易に確認することができる。
【００２３】
第８の発明に係る与薬管理システムは、第６又は第７の発明に係る与薬管理システムにおいて、前記印刷指示信号出力手段が、服薬が中止された薬剤又は削除された薬剤がある場合に、当該薬剤の種類が、服薬が中止されたこと又は削除されたことを示す情報とともに記載された前記帳票を印刷することを指示する前記印刷指示信号を出力することを特徴とするものである。
【００２４】
これによると、服薬が中止された薬剤又は削除された薬剤がある場合に、帳票に当該薬剤が、服薬が中止されたこと又は薬剤が削除されたことを示す情報とともに記載されており、看護師などは帳票の記載を見て当該薬剤が削除されたことを認識することができるため、看護師などが、当該薬剤がないことに疑問、不安などを感じて確認を取る作業等を行う必要がなくなる。
【発明の効果】
【００２５】
本発明では、複数日分の処方データを１日分の処方データである各日処方データに展開し、１日分の薬剤のみを分包して病棟に搬送することができるため、上述したような看護師の負担を軽減することができるとともに、患者に服薬させる際に間違いが生じてしまうのを防止することができる。
【００２６】
また、複数日分の処方データを１日分の各日処方データに展開し、１日分の薬剤のみを分包することができるので、複数日のうち一定期間のみ服薬を中止しその後再開するなど細かい処方の修正指示に対しても容易に対応することができる。
【００２７】
また、複数日分の処方データを１日分の各日処方データに展開し、１日分の薬剤のみを分包することができるので、複数日の途中で処方に修正指示があった場合にも、回収されて廃棄される薬剤の量が低減される。
【図面の簡単な説明】
【００２８】
【図１】本発明における実施の形態に係る与薬管理システムの概略構成図である。
【図２】図１の錠剤分包機の構成を示す図である。
【図３】図１の与薬管理システムの動作を示すフローチャートである。
【図４】医師が処方データを入力する画面を示す図である。
【図５】患者情報を確認するための画面を示す図である。
【図６】一括監査の画面を示す図である。
【図７】個別の監査の画面を示す図である。
【図８】処方データを各日処方データに展開している間に表示される画面を示す図である。
【図９】処方修正を行う画面を示す図である。
【図１０】図９の画面において、服薬の中止及び薬剤の削除を行うときの状態を示す図である。
【図１１】図９の画面において、中止していた服薬の再開及び薬剤の削除を行うときの状態を示す図である。
【図１２】締め処理画面を示す図である。
【図１３】複数の処方に対応する薬剤の取りまとめの処理を示すフローチャートである。
【図１４】調剤せんを示す図である。
【図１５】コメントが表示された調剤せんを示す図である。
【図１６】与薬札及び薬剤を収納するケースを示す図である。
【図１７】病棟集計表を示す図である。
【図１８】調剤せん及び病棟集計表を管理するための画面を示す図である。
【図１９】薬剤の処方がされている患者とされていない患者とを区別して表示させた場合の締め処理画面を示す図である。
【発明を実施するための形態】
【００２９】
以下、本発明の好適な実施の形態について説明する。
【００３０】
図１は、本実施の形態に係る与薬管理システムの概略構成図である。図１に示すように、与薬管理システム１は、医師により作成された複数日分（例えば、１週間分）の薬剤の処方データ等が入力される病院のホストコンピュータ２に接続されており、制御装置３、記憶装置４、入力装置５、表示装置６、印刷装置７、錠剤分包機８などを有している。
【００３１】
制御装置３は、与薬管理システム１における制御を行う装置である。制御装置３は、ＣＰＵ（Central Processing Unit）、ＲＯＭ（Read Only Memory）、ＲＡＭ（Random Access Memory）などからなり、これらがデータ制御部１１、表示制御部１２、印刷指示信号出力部１３、分包指示信号出力部１４及び判断部１５などとして動作する。制御装置３における上記各部については後で説明する。なお、以下の説明では、単に処方データという場合には、医師によって処方される複数日分の処方データのことを示す。
【００３２】
記憶装置４はＲＯＭ、ＲＡＭ、ＨＤ（Hard Disk）などであり、患者名、患者ＩＤ、年齢、診療科、入院している病棟、担当医師名、与薬患者であるか否かなどを示す患者データ、医師からの処方データ、後述する各日処方データ、薬剤データなどが記憶されている。記憶装置４に記憶されたこれらのデータは、データ制御部１１によりその読み出し、書き換えなどが行われる。入力装置５は、例えばキーボード、マウス、タッチパネルなどであり、入力装置５を操作することによって与薬管理システム１に動作指示を与えることが可能となっている。なお、入力装置５により行われる与薬管理システム１の操作は、例えば、キーボードによる各入力部への文字の入力、マウスによる画面上のボタンのクリックなどであるが、以下の説明では、入力装置５による操作については、その説明を省略する。
【００３３】
表示装置６は、例えば液晶ディスプレイなどであり、表示装置６には、表示制御部１２から出力された信号にしたがって、後述する操作画面などが表示される。印刷装置７は、インクジェットプリンタ、レーザプリンタ等であり、印刷指示信号出力部１３から出力された印刷指示信号にしたがって、後述する調剤せん１０１（図１４、図１５参照）、与薬札１０２（図１６参照）、病棟集計表１０５（図１７参照）、その他、与薬管理に必要な帳票類の印刷を行う。
【００３４】
図２は錠剤分包機８の構成を示す図である。錠剤分包機８は、複数の錠剤カセット９１と、錠剤カセット９１の下方に配置された、薬剤を分包する袋となるロール状のシート９２及び封止部９３とを有している。そして、分包指示信号出力部１４から出力された分包指示信号にしたがって、複数の錠剤カセット９１から該当する錠剤を配出するとともに、配出した錠剤をシート９２によって包み、封止部９３においてシート９２を封止することによって錠剤の分包を行う。錠剤分包機８の構成は、従来と同様であるので、ここでは、これ以上の詳細な説明を省略する。
【００３５】
図１に戻って、制御装置３の各部について説明する。データ制御部１１は、処方データなど与薬管理システム１において用いられるデータの制御を行う部分であり、ホストコンピュータ２及び記憶装置４からデータの読み出し及びこれらへのデータの書き込み（データの修正）、後述する各日処方データへの展開、後述する併合処方データの生成などを行う。なお、本実施の形態においては、データ制御部１１が、本発明に係るデータ展開手段、データ修正手段、併合処方データ生成手段を兼ねるものである。
【００３６】
表示制御部１２は、表示装置６に、与薬管理システム１の操作画面などを表示することを指示する信号を出力する。印刷指示信号出力部１３は、印刷装置７に、後述する調剤せん１０１、与薬札１０２、病棟集計表１０５等の印刷を指示する信号（印刷指示信号）を出力する。分包指示信号出力部１４は、錠剤分包機８に錠剤の分包を行うことを指示する信号（分包指示信号）を出力する。判断部１５は、記憶装置４に記憶された患者データを参照して、ホストコンピュータ２から入力された処方データに対応する患者が与薬患者であるか否かの判断を行う。
【００３７】
次に、与薬管理システム１の動作について説明する。図３は、与薬管理システム１の動作過程を示すフローチャートである。なお、図３においては、薬剤師が与薬管理システム１を用いて行う動作を点線で示している。与薬管理システム１においては、医師によりホストコンピュータ２に処方データが入力されるまで待機している（ステップＳ１０１：ＮＯ、以下単にＳ１０１などとする）。
【００３８】
ここで、医師は、自身のＰＣなどに表示される図４に示す画面３０上で操作を行うことによって処方データを作成し、作成した処方データをホストコンピュータ２に入力する。画面３０は、患者情報表示部３１、薬剤情報入力部３２、患者情報確認ボタン３３等を有している。
【００３９】
患者情報表示部３１は、画面３０の上端部に配置されており、薬剤が処方される患者の情報が表示される部分である。より詳細には、患者情報表示部３１には、記憶装置４に記憶された患者データに対応する患者名、患者ＩＤ、年齢、診療科、入院している病棟、担当医師名、与薬患者であるか否かなどの情報、薬剤の処方日、服薬開始日などが表示される。
【００４０】
ここで、与薬患者であるか否かの情報を変更する場合や、処方に関するコメントを追加する場合などには、患者情報確認ボタン３３を操作することにより、図５に示すような患者情報の確認を行うための画面１３０を表示させる。
【００４１】
画面１３０は、患者情報表示部１３１、コメント入力部１３２などを有している。患者情報表示部１３１は、画面１３０の上端部に配置されており、患者情報表示部３１に表示されている情報を含む患者の情報が表示されている。また、患者情報表示部１３１においては、与薬患者であるか否かの情報を変更することができるようになっており、医師が必要に応じてこの内容を変更すると、記憶装置４に記憶されている患者データの与薬患者であるか否かの情報が書き換えられる。なお、患者情報表示部１３１の「カート管理」というのは、与薬患者であることを示している。
【００４２】
コメント入力部１３２は、処方に関する特記事項など必要なコメントを入力する部分である。ここで、図５では、一例として、コメント入力部１３２に「７／２３からアーテン錠を止めている」旨のコメントを入力した場合を示している。そして、コメント入力部１３２にコメントが入力されると、コメントの内容が、コメントの入力日時及び入力者名とともに記憶装置４に記憶されている患者データに加えられる。
【００４３】
図４に戻って、薬剤情報入力部３２は、患者情報表示部３１の下方に配置されており、処方される薬剤の情報が入力される部分である。より詳細には、薬剤情報入力部３２には、処方される薬剤の種類、服薬時間及び回数、処方する薬剤の用量、処方する日数、服薬開始日、服薬時期、区分（服薬を継続するか、中止するかを示す）などが入力される。
【００４４】
そして、医師により処方データが作成され、作成された処方データがホストコンピュータ２に入力されると（Ｓ１０１：ＹＥＳ）、データ制御部１１がホストコンピュータ２から処方データを読み出し、判断部１５が記憶装置４に記憶された患者データを参照して入力された処方データが与薬患者のものであるか否かを判断する（Ｓ１０２）。そして、入力された処方データが与薬患者のものでない場合には（Ｓ１０２：ＹＥＳ）、通常の調剤過程にしたがって動作した（Ｓ１０３）後、動作を終了する。なお、通常の調剤過程については従来と同様であるので、ここでは詳細な説明を省略する。また、ホストコンピュータ２から処方データが読み出されたときには、処方データは、同時に記憶装置４に記憶される。
【００４５】
処方データが与薬患者のものである場合には（Ｓ１０２：ＮＯ）、表示制御部１２から出力される信号により、表示装置６に図６に示すような処方監査の画面４０が表示される（Ｓ１０４）。図６に示す処方監査の画面４０は、一括処方監査の画面であって、処方データ一覧表示部４１、処方箋区分表示部４２などを有している。
【００４６】
処方データ一覧表示部４１は、画面４０の略上半分に位置しており、処方データ一覧表示部４１には、医師が作成した処方データの一覧が表示される。処方箋区分表示部４２は処方データ一覧表示部４１の下方に配置されており、処方箋区分表示部４２には、処方データ一覧表示部４１に表示された処方データの処方箋区分の内訳が記載されている。
【００４７】
そして、処方データ一覧表示部４１に表示された処方データの１つを選択すると、表示制御部１２から出力される信号により、表示装置６に表示されている画面４０が、図７に示すような個別の処方監査の画面５０に切り替わる。画面５０は、患者情報表示部５１、薬剤情報表示部５２などを有している。患者情報表示部５１は、画面５０の上端部に配置されており、患者情報表示部５１には、前述の患者情報表示部３１と同様の患者の情報が表示されている。薬剤情報表示部５２は、患者情報表示部５１の下方に配置されており、薬剤情報表示部５２には、前述の薬剤情報入力部３２と同様の処方された薬剤の情報が表示されている。
【００４８】
そして、薬剤師は、図６、図７の画面４０、５０上で操作を行いながら、処方データの監査を行う（Ｓ２０１）。具体的には、処方データ一覧表示部４１に表示された処方データを１つずつ選択して、各処方データごとに、画面５０に表示された内容を確認することによって、医師から処方されている薬剤が適切なものであるか否かをチェックする。
【００４９】
処方されている薬剤に問題があると考えられる場合には、薬剤師は担当の医師に問い合わせを行い、問題があれば（Ｓ１０５：ＮＯ）、その処方データが取り消され（Ｓ１０６）、当該処方データに対する処理が終了する。このとき、担当医師は、再度、図４に示す画面３０上で操作を行うことにより処方データの修正を行い、ホストコンピュータ２に修正した処方データを入力する。
【００５０】
一方、処方されている薬剤に問題がなければ（Ｓ１０５：ＹＥＳ）、監査が完了し、データ制御部１１により、監査が完了した処方データが、１日分毎の処方データ（各日処方データ）に展開され、さらに各日処方データが服薬時期毎に展開される（Ｓ１０７）。このとき、表示装置６には、表示制御部１２から出力される信号により、データの展開が行われている処方データを表示する図８に示すような画面６０が表示される。そして、データの展開が完了すると、表示制御部１２から出力される信号により、表示装置６に表示されている画面６０が消えるとともに、図９に示す画面７０が表示装置６に表示される（Ｓ１０８）。なお、服薬時期毎に展開された各日処方データは記憶装置４に記憶される。
【００５１】
画面７０は、患者情報表示部７１、薬剤情報表示部７２、各日処方データ表示部７３などを有している。患者情報表示部７１は、画面７０の上端部に配置されており、患者情報表示部７１には、患者情報表示部３１と同様の前述の薬剤を処方された患者の情報が表示されている。薬剤情報表示部７２は、患者情報表示部７１の左端部の下方に配置されており、薬剤情報表示部７２には、前述の処方された薬剤の情報が表示されている。ただし、同一の患者に対して複数の科から薬剤の処方が行われている場合には、データ制御部１１が、これら複数の処方データに対応する、服薬時期毎に展開された各日処方データを併合した処方データ（併合処方データ）を生成し、この併合処方データが示す薬剤の情報が表示される。
【００５２】
各日処方データ表示部７３には、服薬時期毎に展開された各日処方データの内容が表示されている。より詳細には、各日処方データ表示部７３には、薬剤情報表示部７２に表示された薬剤毎に、服薬時期毎（例えば、起床時、朝食後、昼食後、夕食後及び睡眠前）にそれぞれ服薬すべき薬剤の量が表示されている。ここで、各日処方データ表示部７３に表示されている「１．０」、「３．３３」及び「止」というのは、それぞれ、「１錠服薬すること」、「３．３３ｇ服薬すること」、及び「服薬を中止すること」を意味している。
【００５３】
また、画面７０において、薬剤師が各日処方データ表示部７３に表示されている服薬量を示す数字を選択すると、表示制御部１２から出力される信号により、画面７０に図１０に示すような「中止」及び「削除」のメニュー７４が表示される。そして、「中止」を選択すると、データ制御部１１が、選択された日時以降の当該薬剤の服薬を中止するように各日処方データを修正する。一方、「削除」が選択されると、データ制御部１１が、選択された日時以降の各日処方データから当該薬剤を削除する。
【００５４】
また、画面７０において、薬剤師が各日処方データ表示部７３に表示されている「止」の部分を選択すると、表示制御部１２から出力される信号により、画面７０に図１１に示すような「再開」及び「削除」のメニュー７５が表示される。そして、「再開」を選択すると、データ制御部１１が、選択された日時まで中止されていた当該薬剤の服薬が再開されるように各日処方データを修正する。一方、「削除」が選択されると、データ制御部１１が、選択された日時以降の各日処方データから当該薬剤を削除する。
【００５５】
ここで、医師は、複数日分の薬剤の処方をした後、患者の容態などを考慮して、処方した薬剤の服薬の一時的な中止及びその再開、並びに処方した薬剤の削除を指示することがある。そして、医師からこれらの指示があったときに（Ｓ２０２：ＹＥＳ）、薬剤師が、上述したように画面７０上で操作を行いデータの修正を行ったうえで（Ｓ１０８）、Ｓ１０９に進む。一方、上述したような修正がない場合には（Ｓ２０２：ＮＯ）、そのままＳ１０９に進む。
【００５６】
上述したＳ１０１〜Ｓ１０８の工程は、全ての処方データに関して行われ、Ｓ１０９においては、全ての患者の処方データ及びこれらの処方データに対応する各日処方データの最終的なチェックなどを行う締め処理が行われる。このとき、表示装置６には、表示制御部１２から出力される信号により、図１２に示すような、締め処理のための画面８０が表示される。
【００５７】
画面８０は、病棟一覧表示部８１、患者一覧表示部８２、処方データ一覧表示部８３及び処方薬剤表示部８４を有している。病棟一覧表示部８１は、画面８０の左上端部に配置されており、病棟毎に薬剤の処方がされている患者の人数を表示する部分である。患者一覧表示部８２は、病棟一覧表示部８１の右方に配置されており、薬剤の処方がされた患者の病棟、病室番号、患者ＩＤ、患者名などの一覧が表示される部分である。また、患者一覧表示部８２には、全病棟の患者の一覧を表示させること、及び、病棟一覧表示部８１に表示されている病棟を選択することにより、選択された病棟の患者のみを表示させることが可能となっている。
【００５８】
処方データ一覧表示部８３は、患者一覧表示部８２の上端部の右方に配置されており、患者一覧表示部８２において選択された患者の処方データの内容（診療科、処方番号、処方日等）が表示される部分である。処方薬剤表示部８４は、処方データ一覧表示部８３の下方に配置されており、処方データ一覧表示部８３に表示されている処方データの詳細（与薬開始日、薬剤名、１日分の服薬量等）が表示される部分である。
【００５９】
そして、患者一覧表示部８２に表示されている患者を選択することにより、処方データ一覧表示部８３にその患者の処方データの一覧が表示されるとともに、処方薬剤表示部８４に、処方データの詳細が表示される。
【００６０】
ここで、上記Ｓ１０９においては、複数の科から処方がされている場合に、これら複数の処方に対応する薬剤の取りまとめを行うことが可能となっている。そして、取りまとめられた薬剤は、後述するように一緒に分包される。図１３は、上記Ｓ１０９における上記取りまとめの流れを示すフローチャートである。なお、図１３においても、図３と同様、薬剤師が与薬管理システム１を用いて行う動作を点線で示している。
【００６１】
図１３に示すように、Ｓ１０９においては、前述したように、表示装置６に図１２に示す画面８０が表示されており（Ｓ３０１）、薬剤師が、図１２に示す画面８０の患者一覧表示部８２に表示された患者を選択する（Ｓ４０１）。すると、処方データ一覧表示部８３に選択した患者の処方データの内容が表示されるとともに、処方薬剤表示部８４に処方データの詳細が表示される（Ｓ３０２）。次に、薬剤師が処方薬剤表示部８４の内容を見ながら、一緒に分包する薬剤を選択する（Ｓ４０２）。具体的には、処方薬剤表示部８４の右端の「包」の欄に表示されている区分（図１２では「Ａ」）を、一緒に分包したい薬剤の区分が同じものとなるように設定する。このとき、薬剤師は、一緒に分包してしまうと変質してしまう虞などがある薬剤同士が、別の袋に分包されるように上記区分を設定する。そして、データ制御部１１により、Ｓ４０２において設定された区分が更新される（Ｓ３０３）。
【００６２】
なお、Ｓ１０９においては、上記Ｓ３０１の前、及び、上記Ｓ３０３の後に、締め処理に必要な各種処理が行われる。また、複数の処方に対応する薬剤の取りまとめを行わない場合には、Ｓ１０９において図１３のＳ３０１〜Ｓ３０３及びＳ４０１、Ｓ４０２の処理は行われずに、以下に説明するＳ２０４に進む。
【００６３】
そして、薬剤師が、所定時間ごとに（例えば１日に１回）、画面８０の内容を確認した上で、複数日の処方のうち１日分について締め処理完了を指示する操作を行う（Ｓ２０４）。このとき、薬剤師は、全ての処方データについての締め処理完了の指示を一度に行うことも可能であり、病棟毎に処方データの締め処理完了の指示を行うことも可能である。
【００６４】
ここで、締め処理完了を指示する操作が１日のうちある一定の時刻に行われる場合、薬剤師は、当該時刻になったときに画面８０を表示させた上で１日分の処方を確認することになるが、医師による処方データの入力が当該時刻から遅れ、薬剤師にその旨の連絡があった場合などには、薬剤師は、医師からの連絡があった後に画面８０の内容を更新した上で確認を行う必要がある。
【００６５】
このとき、画面８０の更新は、薬剤師の操作により手動で行う、あるいは、一定時間ごとに自動的に行われることになる。そして、画面８０の更新を手動で行う場合には、連絡を受けた薬剤師自身が画面８０の更新の操作を行った上で画面８０の内容の確認を行うため、当該処方データの確認漏れを防止することができる。
【００６６】
一方、画面８０の更新が自動的に行われる場合には、薬剤師が、上記時刻から遅れて入力された処方データが反映される前の画面８０を見て１日分の処方の確認を行ってしまう虞がある。これを防止するためには、例えば、画面８０に最新の更新時刻を表示させるようにすればよい。これによると、薬剤師は、最新の更新時刻が、医師からの連絡よりも後の時刻となっていることを確認した上で、１日分の処方を確認することにより、上記時刻から遅れて入力された処方データの確認漏れを防止することができる。
【００６７】
また、この場合には、締め処理を行う時間に遅れて処方データの入力を行った場合に、医師から薬剤師に確実に連絡が行われるようにするため、上述の処方データ入力の画面３０（図４参照）に、締め処理を行う時刻、及び、処方データの入力が遅れた場合には薬剤師に連絡をする必要がある旨のメッセージを表示させてもよい。
【００６８】
締め処理が完了すると、データ制御部１１が記憶装置４に記憶されている、服薬時期毎に展開された各日処方データ（複数の科から薬剤の処方がされている場合には複数の各日処方データを併合した併合処方データ）から１日分のデータを読み出し、分包指示信号出力部１４が読み出された１日分の薬剤を服薬時期毎に分包することを指示し、さらに、同一の患者に対して複数の科から薬剤の処方がされており、上記Ｓ１０９において処方に対応する薬剤の取りまとめが行われている場合には、同じ区分に設定された薬剤同士を一緒に分包することを指示する信号（分包指示信号）を錠剤分包機８に出力する。これと同時に、印刷指示信号出力部１３が、読み出された薬剤の内容が記載された調剤せん（帳票）１０１、与薬札１０２及び病棟集計表１０５を印刷することを指示する信号（印刷指示信号）を印刷装置７に出力して（Ｓ１１０）、動作を終了する。
【００６９】
錠剤分包機８は、分包指示信号出力部１４から分包指示信号が入力されると、入力された内容にしたがって、１日分の薬剤の分包を行う。このとき、１日分の薬剤は、朝食後、昼食後、夕食後、睡眠前など服薬時期毎に分包される。さらに、同一の患者に対して複数の科から薬剤の処方がされており、上記Ｓ１０９において処方に対応する薬剤の取りまとめが行われている場合には、同じ区分に設定された薬剤が一緒に分包される。
【００７０】
なお、分包指示信号によって分包することが指示されるのは、読み出された１日分の薬剤のうち、錠剤分包機８において分包可能な薬剤（錠剤）のみであり、それ以外の薬剤については、薬剤師が取り揃えることとなる。
【００７１】
そして、分包された１日分の錠剤は、薬剤師が取り揃えた他の１日分の薬剤などとともに服薬時期毎（例えば、起床時、朝食後、昼食後、夕食後、睡眠前）にケース１０３（図１６参照）に収納され、このケース１０３に与薬札１０２が貼り付けられた上で各病棟に搬送される。なお、各病棟に薬剤が収納されたケース１０３を搬送するのには、病棟毎に用意された図示しないカートが用いられ、ケース１０３は対応する病棟のカートに入れられた状態で病棟に搬送される。
【００７２】
ここで、本実施の形態とは異なり、医師により処方された複数日分の薬剤がまとめて病棟に搬送されると、病棟において与薬患者に服薬させる際に、看護師などは搬送されてきた複数日分の薬剤の中から必要分を取り出す作業を行う必要がある。したがって、このような作業を行う分だけ看護師の負担が大きくなってしまう。さらに、薬剤を取り出す際にその数を間違えるなどして、与薬患者に服薬させる際に間違いが生じてしまう虞もある。
【００７３】
また、複数日分の薬剤がまとめて病棟に搬送されると、複数日の途中で処方の修正指示があった場合に、病棟に搬送してしまった複数日分の薬剤に薬剤を追加したり、複数日分の薬剤から不要な薬剤を回収したりする必要があるが、複数日のうち一定期間だけ服薬させることを中止してその後再開するなど、細かな修正指示に対応する際には薬剤の追加、回収などの作業が複雑になってしまう。
【００７４】
また、複数日の途中で、処方に修正指示があり、服薬を中止する場合、薬剤を削除する場合など、病棟に搬送した薬剤を回収する必要が生じた場合には、薬剤の間違いを防止する観点から、回収した薬剤は廃棄することになるが、複数日分の薬剤をまとめて病棟に搬送している場合には、廃棄する薬剤の量が多くなってしまう虞がある。
【００７５】
しかしながら、本実施の形態では、医師により処方された複数日分の薬剤が、１日分ずつ病棟に搬送されるため、薬剤が搬送された病棟において与薬患者に服薬させる際に、看護師などは複数日分まとめられた薬剤から服薬させる分だけ取り出すといった作業を行う必要がない。これにより、看護師の業務が軽減されるとともに、与薬患者に服薬させる際に間違いが生じてしまうことを防止することができる。
【００７６】
さらに、１日分の薬剤が、服薬時期毎に分包されているため、看護師の業務がさらに軽減されるとともに、与薬患者に服薬させる際に間違いが生じてしまうことをさらに確実に防止することができる。
【００７７】
また、処方された薬剤が１日分ずつ病棟に搬送されるため、薬剤の処方がされた複数日の間に、服薬の中止及び再開、薬剤の削除などの修正指示が合った場合に、図９（図１０、図１１）の画面７０上で中止及び再開、削除の操作を行うなどすることにより、以後病棟に搬送される薬剤は修正指示が反映されたものとなるため、医師の細かな修正指示に対しても容易に対応することができる。
【００７８】
加えて、処方された薬剤が１日分ずつ病棟に搬送されるため、複数日の途中で処方に修正指示があり、服薬を中止する場合、薬剤を削除する場合などにも、修正指示以降の各日処方データを修正すれば、それ以降は、服薬が中止された薬剤及び削除された薬剤が分包されないので、薬剤の無駄な廃棄を低減することができる。
【００７９】
印刷装置７においては、印刷指示信号出力部１３からの印刷指示信号が入力されると、入力された信号にしたがって、調剤せん１０１、与薬札１０２及び病棟集計表１０５等の印刷物の出力を行う。調剤せん１０１は、図１４に示すようなものであり、病棟毎に印刷されて薬剤とともに病棟に搬送される。つまり、印刷指示信号出力部１３は、病棟毎に調剤せん１０１を印刷することを指示する印刷指示信号を別々に出力する。
【００８０】
調剤せん１０１には、図１４に示すように、各病棟における与薬患者名、服薬時間、薬剤の種類などが１日分の服薬時期毎に印刷されている。また、調剤せん１０１に記載されている薬剤の種類のうち、左側に「止」が記載されているものは、服薬が中止されたものを示しており、「無」が記載されているものは、削除された薬剤を示している。そして、「止」、「無」が記載されている薬剤に関しては、他の薬剤とは別の色によって印刷されており（例えば、他の薬剤が黒色で印刷されているのに対して、「止」、「無」が記載された薬剤は赤色で印刷されている）、調剤せん１０１を見たときに、両者を容易に区別することができる。
【００８１】
ここで、本実施の形態とは異なり、調剤せん１０１に中止及び削除された薬剤が記載されていないと、看護師などは、与薬患者に服薬させる際に、調剤せん１０１の内容を見ても、過去に服薬させていた薬剤について、服薬が中止された薬剤あるいは削除された薬剤であるのか、調剤せん１０１の記載が間違っているのかを判断することができず、疑問を感じて問い合わせの連絡をするなど業務が増加することになる。
【００８２】
しかしながら、本実施の形態では、調剤せん１０１に中止及び削除された薬剤が、その旨とともに記載されているので、看護師などは、与薬患者に服薬させる際に、調剤せん１０１の内容から服薬が中止された薬剤及び削除された薬剤を認識することができる。その結果、上述したような問い合わせなどが不要となり、看護師の負担が軽減される。
【００８３】
また、調剤せん１０１は、病棟毎に印刷されているため、各病棟において調剤せん１０１を容易に確認することができる。
【００８４】
また、調剤せん１０１においては、錠剤分包機８において分包できない、薬剤師が取り揃える薬剤の右側にチェックボックス１０１ａが設けられている。薬剤師によって取り揃えられる薬剤は、錠剤分包機８において自動的に分包される薬剤に比べて入れ忘れなどが発生しやすいが、調剤せん１０１にチェックボックス１０１ａが設けられているため、患者に服薬させる際に、看護師などが、薬剤師が取り揃えるべき薬剤が含まれていることを確認した上で、チェックボックス１０１ａにチェックを入れることにより、処方された薬剤を間違いなく服薬させることができる。
【００８５】
なお、図１４では、錠剤分包機８において分包できない、薬剤師が取り揃える必要のある薬剤にのみチェックボックスが設けられていたが、これには限られず、例えば、劇薬、麻薬、向精神薬など、取り扱いに特に注意を要する薬剤について、錠剤分包機８により分包されるか否かに関わらず、チェックボックス１０１ａが設けられるようにしてもよい。
【００８６】
さらに、上述した画面１３０のコメント入力部１３２にコメントが入力されていた場合には、図１５に示すように、調剤せん１０１に上述した情報とともにコメントが印刷される。これにより、看護師などは、コメントの内容を確認した上で、与薬患者に薬剤を服用させることが可能となり、与薬患者に服薬させる際に、間違いなどが発生してしまうのを防止することができる。
【００８７】
与薬札１０２は図１６に示すようなものであり、与薬患者名、服薬時間、薬剤の種類などが記載されている。与薬札１０２は、前述したケース１０３の表面に貼り付けられるものであり、看護師などは、与薬札１０２の記載をみて、ケース１０３に対応する与薬患者名、服薬時間、薬剤の種類などを確認するとともに、調剤せん１０１の記載と与薬札１０２の記載が一致していることを確認したうえで、与薬患者に服薬させる。
【００８８】
病棟集計表１０５は図１７に示すようなものであり、病棟毎に印刷される。つまり、印刷指示信号出力部１３は、病棟毎に病棟集計表１０５を印刷する印刷指示信号を別々に出力している。病棟集計表１０５には、図１７に示すように、各病棟に搬送される１日分の薬剤、服薬させる患者名、服薬時期などの一覧が記載されている。また、病棟集計表１０５に記載されている薬剤のうち、薬剤師が取り揃えるべき薬剤と、錠剤分包機８により分包される薬剤とは別の色で印刷されている（例えば、錠剤分包機８により分包される薬剤が黒色で印刷されているのに対して、薬剤師が取り揃えるべき薬剤が赤色で印刷されている）。これにより、薬剤師は、病棟集計表１０５の内容から、病棟に搬送すべき薬剤の種類、数などを認識することができるとともに、どの薬剤を自身で取り揃える必要があるかを認識することができる。
【００８９】
以上に説明した実施の形態によると、医師により作成された複数日分の処方データを１日毎の各日処方データに展開し、１日分の薬剤のみを分包して病棟に搬送することができる。したがって、薬剤が搬送された病棟において与薬患者に服薬させる際に、看護師などは複数日分まとめられた薬剤から服薬させる分だけ取り出すといった作業を行う必要がない。これにより、看護師の業務が軽減されるとともに、与薬患者に服薬させる際に間違いが発生してしまうのを防止することができる。
【００９０】
さらに、薬剤が服薬時期毎に分包されているので、看護師の業務がさらに軽減されるとともに、与薬患者に服薬させる際に間違いが発生してしまうのをさらに確実に防止することができる。
【００９１】
また、処方された薬剤が１日分ずつ病棟に搬送されるため、医師が処方した複数日の間に細かな処方の修正指示が合った場合にも容易に対応することができる。
【００９２】
加えて、処方された薬剤が１日分ずつ病棟に搬送されるため、複数日の途中で処方に修正指示があり、服薬の中止、薬剤の削除を行う場合などにも、処方の修正指示以降の各日処方データを修正すれば、それ以降は、服薬が中止された薬剤及び削除された薬剤が分包されないので、薬剤の無駄な廃棄を低減することができる。
【００９３】
また、同一の患者に対して複数の科から薬剤の処方がされている場合に、複数の処方に対応する各日処方データを併合して併合処方データを生成し、併合データに対応する薬剤を分包することにより、これら複数の処方に対応する薬剤を一緒に分包することができる。
【００９４】
また、処方された薬剤に対して調剤せん１０１及び与薬札１０２が印刷されるため、調剤せん１０１に記載の内容、及び、与薬札１０２の内容を確認することにより、与薬患者に服薬させる際に間違いが生じてしまうのを防止することができる。
【００９５】
また、調剤せん１０１は病棟毎に印刷されるため、各病棟において調剤せん１０１を容易に確認することができる。さらに、調剤せん１０１に中止及び削除された薬剤が、その旨とともに記載されているので、看護師などは、与薬患者に服薬させる際に、調剤せん１０１の内容から中止及び削除された薬剤を認識することができる。
【００９６】
以上、本発明の好適な実施の形態について説明したが、本発明は、上述の実施の形態に限定されるものではなく、発明の要旨を逸脱しない範囲で変更可能である。
【００９７】
本実施の形態では、上述のＳ１１０において分包指示信号出力部１４から分包指示信号を出力するとともに、印刷指示信号出力部１３から印刷装置７に印刷指示信号が出力されていたが、印刷指示信号を出力する代わりに、表示制御部１２から出力される信号により、表示装置６に図１８に示すような画面１２０が表示されるようになっていてもよい。
【００９８】
画面１２０は、検索条件入力部１２１、検索結果表示部１２２などを有している。検索条件入力部１２１は画面１２０の左端部に配置されており、服薬日、病棟、患者ＩＤ、患者など検索したい調剤せん１０１あるいは病棟集計表１０５の条件を入力する部分である。検索結果表示部１２２は、検索条件入力部１２１の右方に配置されており、検索条件入力部１２１に入力された条件に該当する調剤せん１０１あるいは病棟集計表１０５の一覧が表示される部分である。
【００９９】
そして、この場合には、薬剤師などが、画面１２０により印刷すべき調剤せん１０１あるいは病棟集計表１０５の条件を検索条件入力部１２１に入力し、検索結果表示部１２２に表示された調剤せん１０１あるいは病棟集計表１０５の一覧から印刷すべきものを選択すると、印刷指示信号出力部１３からその調剤せん１０１あるいは病棟集計表１０５を印刷することを指示する印刷指示信号が印刷装置７に出力され、印刷装置７においてその印刷が行われる。
【０１００】
また、本実施の形態では、画面８０の患者一覧表示部８２に、薬剤の処方がされた患者のみが表示されていたが、これには限られず、例えば、画面８０を表示させる際に、記憶装置４に記憶されている患者データのうち与薬患者のデータを読み出して、図１９に示すように、患者一覧表示部８２にすべての与薬患者を表示させ、さらに、患者一覧表示部８２に表示される与薬患者のうち、薬剤の処方がされていない与薬患者を、薬剤の処方がされている与薬患者とは別の色で表示させ（例えば、処方がされている患者を黒色で表示させるのに対して、処方がされていない与薬患者を赤色で表示させ）てもよい。ここで、図１９では、患者一覧表示部８２において薬剤の処方がされていない「てすと  吾郎」及び「湯山  睦」の二人の与薬患者が、薬剤の処方がされている他の患者とは別の色で表示されている例を示している。
【０１０１】
そして、この場合には、例えば、医師が薬剤の処方データの入力を忘れていた場合などに、薬剤師が画面８０の内容を確認したときに、与薬患者であるが薬剤の処方がされていない患者を認識して医師に確認することなどが可能となり、薬剤の処方漏れを確実に防止することができる。なお、患者一覧表示部８２に表示される薬剤が処方されていない患者は与薬患者のみであり、自身で薬剤を服用することができる患者については、薬剤が処方されていなくても患者一覧表示部８２には表示されない。
【０１０２】
また、図１９では、患者一覧表示部８２において、薬剤の処方がされていない与薬患者を、薬剤の処方がされている与薬患者とは別の色で表示させていたが、すべての与薬患者を同じ色で表示させてもよい。この場合でも、画面８０の患者一覧表示部８２において、薬剤の処方がされていない与薬患者を選択すると、処方データ一覧表示部８３に何も表示されないこととなるため、薬剤師は、処方データ一覧表示部８３に何も表示されないことから、当該与薬患者に薬剤の処方がされていないことを認識することができる。
【０１０３】
また、本実施の形態では、調剤せん１０１に、実際に与薬患者に服薬させる薬剤とともに、服薬が中止された薬剤及び削除された薬剤が、その旨とともに記載されていたが、調剤せん１０１に実際に与薬患者に服薬させる薬剤のみが記載されていてもよい。
【０１０４】
また、本実施の形態では、調剤せん１０１が病棟毎に印刷されており、１つの調剤せん１０１には、１つの病棟における与薬患者名、服薬時間、薬剤の種類などが１日分記載されていたが、これには限られず、１つの調剤せん１０１に、２以上の病棟における与薬患者名、服薬時間、薬剤の種類などが１日分記載されていてもよい。
【０１０５】
また、本実施の形態では、同一の患者に対して複数の科から薬剤の処方がされている場合に、複数の各日処方データを併合して併合処方データを生成し、併合データの内容にしたがってこれら複数の処方の薬剤を同じ袋に分包していたが、これには限られず、複数の各日処方データを併合せず（併合処方データを生成せず）、薬剤を処方毎に異なる袋に分包してもよい。
【０１０６】
また、本実施の形態では、各日処方データをさらに服薬時期毎の処方データに展開し、服薬時期毎に薬剤の分包を行っていたが、１日分の薬剤をまとめて分包してもよい。
【符号の説明】
【０１０７】
１  与薬管理システム
３  データ制御部
１３  印刷指示信号出力部
１４  分包指示信号出力部
１０１  調剤せん
【図１】
2010005378.tif 000003
【図２】
2010005378.tif 000004
【図３】
2010005378.tif 000005
【図１３】
2010005378.tif 000006
【図１４】
2010005378.tif 000007
【図１５】
2010005378.tif 000008
【図１６】
2010005378.tif 000009
【図１７】
2010005378.tif 000010
【図４】
2010005378.tif 000011
【図５】
2010005378.tif 000012
【図６】
2010005378.tif 000013
【図７】
2010005378.tif 000014
【図８】
2010005378.tif 000015
【図９】
2010005378.tif 000016
【図１０】
2010005378.tif 000017
【図１１】
2010005378.tif 000018
【図１２】
2010005378.tif 000019
【図１８】
2010005378.tif 000020
【図１９】
2010005378.tif 000021